(57)【要約】  【課題】  各収納室を仕切る仕切り用封止部に加え、収納室と排出部との間に排出規制用封止部が設けられている医療用複室容器において、各封止部を同時に開封することが可能な医療用複室容器を提供する。  【解決手段】  薬剤を収納する複数の収納室９，１１及びこれら収納室を仕切る仕切り用封止部１３を有する容器本体５と、この容器本体５に取り付けられ収納室から薬剤を排出可能な排出部７とを備え、仕切り用封止部１３が使用に際して開封されることで複数の収納室９，１１が連通される医療用複室容器であって、収納室１１と排出部７との間を仕切り、使用に際して開封可能な排出規制用封止部１５をさらに備えており、仕切り用封止部１３及び排出規制用封止部１５の少なくとも一方は、容器本体周縁部３のいずれか２箇所を結ぶ直線状に形成されており、しかも、仕切り用封止部１３及び排出規制用封止部１５の一端部は、容器本体周縁部３の同一箇所に接続されている。【選択図】  図１
2005143594.tif 000002
【特許請求の範囲】
【請求項１】
薬剤を収納する複数の収納室及びこれら収納室を仕切る仕切り用封止部を有する容器本体と、当該容器本体に取り付けられ前記収納室から薬剤を排出可能な排出部とを備え、前記仕切り用封止部が使用に際して開封されることで前記複数の収納室が連通される医療用複室容器であって、
前記収納室と排出部との間を仕切り、使用に際して開封可能な排出規制用封止部をさらに備えており、
前記仕切り用封止部及び排出規制用封止部の少なくとも一方は、前記容器本体周縁部のいずれか２箇所を結ぶ直線状に形成されており、しかも、
前記仕切り用封止部及び排出規制用封止部の一方の端部は、前記容器本体周縁部の同一箇所に接続されている医療用複室容器。
【請求項２】
前記仕切り用封止部と排出用封止部との接続部分では、両封止部が鋭角をなして接続している請求項１に記載の医療用複室容器。
【発明の詳細な説明】
【技術分野】
【０００１】
本発明は、同時に配合すると経時変化を起こすような不安定な各種薬剤（液剤、粉末若しくは固形剤）を個別に収納する複数の収納室を備え、各室間を仕切っている封止部を開封することにより、各収納室内に収納されている薬剤を無菌状態で且つ異物を発生させることなしに混合できる医療用複室容器に関するものである。
【背景技術】
【０００２】
静脈注射により患者に投与される薬剤の中には、予め配合すると望ましくない経時的変化を起こすような不安定な薬剤がある。例えばアミノ酸輸液とブドウ糖輸液とを配合して保存しておくと、いわゆるメイラード反応によって混合液が褐変する。また、脂肪乳剤と電解質溶液とを配合して保存しておくと、脂肪分が凝集を生じ、リン酸含有液とカルシウム含有液を配合しておくと、リン酸カルシウムの沈殿を生じ、望ましくない変化を起こす。
【０００３】
このような薬剤に対しては、次のような医療用複室容器が用いられることが多い。この医療用複室容器は、薬剤を収納する２つの収納室を備えたプラスチックフィルム製の容器本体と、この容器本体から薬剤を排出する排出部とを備えている。２つの収納室は、容器本体の内壁面同士を熱融着した仕切り用封止部によって仕切られている。使用に際しては、いずれかの収納室の中央付近を押圧し、収納室内の圧力を高めて仕切り用封止部を開封する。これによって両収納室が連通し、２つの薬剤が混合される。その後、排出部を開封し、混合後の薬剤を患者に投与する。
【０００４】
ところで、上記のような複室容器では、仕切り用封止部の開封前に、排出部を開封すると、混合前の薬剤が排出されるという問題があった。これを解決するため、例えば特許文献１及び特許文献２では、排出部と、これと隣接する収納室との間に、排出規制用の封止部を設けた医療用容器が提案されている。このような排出規制用の封止部を設けると、仕切り用封止部の開封前に、排出部を開封しても、排出規制用封止部によって収納室から薬剤が排出されるのを防止することができる。
【特許文献１】特開平９−３２７４９８号公報
【特許文献２】特開２００１−１８７１１１号公報
【発明の開示】
【発明が解決しようとする課題】
【０００５】
ところが、上記各特許文献に記載の複室容器では、封止部が２つ設けられているため、使用時には、２つの封止部を別個に開封する必要があり、作業が煩雑になるという問題があった。これに対して、特許文献１に記載の容器では、排出規制用封止部の開封強度と仕切り用封止部の開封強度とを同等にし、これら封止部に挟まれた収納室を押圧することで、両封止部を同時に開封することが記載されている。しかしながら、両封止部を同時に開封するには、これら封止部に均一に圧力が作用するように収納室を押圧する必要があるが、このように押圧することは、現実には非常に困難であり、結局は各封止部を個別に開封する必要があった。
【０００６】
本発明は、上記問題を解決するためになされたものであり、各収納室を仕切る仕切り用封止部に加え、収納室と排出部との間に排出規制用封止部が設けられている医療用複室容器において、各封止部を同時に開封することが可能な医療用複室容器を提供することを目的とする。
【課題を解決するための手段】
【０００７】
本発明は、薬剤を収納する複数の収納室及びこれら収納室を仕切る仕切り用封止部を有する容器本体と、当該容器本体に取り付けられ前記収納室から薬剤を排出可能な排出部とを備え、前記仕切り用封止部が使用に際して開封されることで前記複数の収納室が連通される医療用複室容器であって、上記問題を解決するためになされたものであり、前記収納室と排出部との間を仕切り使用に際して開封可能な排出規制用封止部をさらに備えており、前記仕切り用封止部及び排出規制用封止部の少なくとも一方は、前記容器本体周縁部のいずれか２箇所を結ぶ直線状に形成されており、しかも、前記仕切り用封止部及び排出規制用封止部の一端部は、前記容器本体周縁部の同一箇所に配置されている。
【０００８】
この構成によれば、仕切り用封止部及び排出規制用封止部の一端部が、容器本体周縁部の同一箇所に配置されているため、収納室を押圧したときに発生する圧力がこの箇所に作用すると、両封止部を同時に開封することができる。したがって、一回の押圧操作で、封止部を開封することができるため、薬剤を投与する際の作業を簡素化することができる。特に、本発明では、両封止部の一端部が容器本体周縁部に接続されているので、収納室を押圧したときに発生する圧力を、この周縁部に向けやすくなっている。そのため、押圧時に発生する圧力を効率よく周縁部に作用させることができ、比較的小さい力で封止部を開封することができる。
【０００９】
さらに、上記複室容器は、少なくとも一方の封止部が容器本体周縁部のいずれか２箇所を結ぶ直線状に形成されているので、この封止部に沿って容器本体を折り畳むことができる。これにより、複室容器を小型化することができ、輸送、保管時に必要なスペースを節約することができる。また、封止部に沿って容器本体を折り畳むと、その近傍の容器本体内壁面同士が離間しにくくなるため、封止部の開封を防止できる。特に、容器の輸送時には、不意に外力が作用することが多いため、このように容器本体を折り畳めるように構成しておくと有利である。なお、封止部が接続される容器本体周縁部上のいずれか２箇所は、容器本体周縁部の対向する部分であることが好ましい。例えば容器本体が矩形状に形成されている場合には、対向する辺や角であり、円形の場合は、中心付近を挟んで対向する円周上の部分であることが好ましい。
【００１０】
また、仕切り用封止部と排出用封止部との接続部分では、両封止部が鋭角をなして接続していることが好ましい。このように構成すると、仕切り用封止部と排出用封止部との間の収納室を押圧した場合、収納室内で高まった圧力が両封止部の接続部分に集中しやすくなり、両封止部の開封を容易に行うことができる。
【発明の効果】
【００１１】
本発明によれば、仕切り用封止部及び排出規制用封止部を同時に開封することが可能となり、開封作業を簡単に行うことができる。
【発明を実施するための最良の形態】
【００１２】
以下、本発明に係る医療用複室容器の一実施形態について図面を参照しつつ説明する。図１は、本実施形態に係る医療用複室容器の平面図である。
【００１３】
図１に示すように、この医療用複室容器１は、矩形状の２枚のフィルムの周縁部３を熱融着して扁平の袋状に形成された容器本体５と、この容器本体５に接続され内部にゴム栓（図示省略）を有する薬剤排出部７とを備えている。
【００１４】
容器本体５には、長手方向の中間部に、同図の左右方向に延びる仕切り用封止部１３が形成されており、これによって容器本体５の上半部には薬剤が封入される第１収納室９が形成されている。一方、容器本体５の下半部には、排出規制用封止部１５が形成されており、この封止部１５よって容器本体５の下半部には２つの室が形成されている。排出規制用封止部１５は、容器本体周縁部３の右下の角部から斜め上方に延び、仕切り用封止部１３の右側の端部に接続されている。そして、この排出規制用封止部１５と仕切り用封止部１３との間に形成された室が薬剤を収納する第２収納室１１を形成している。また、容器本体周縁部３の下端部と排出規制用封止部１５との間に形成される室は、薬剤が収納されない空室１９となっている。
【００１５】
上記した薬剤排出部７は容器本体周縁部３の下端部、つまり空室１９と連通するように接続されている。また、容器本体５において薬剤排出部７と反対側の端部には、容器１を吊り掛けるための吊掛孔１７が形成されている。
【００１６】
容器本体５を構成するフィルムの材質としては、ポリエチレン、ポリプロピレン、ポリスチレン等の熱可塑性樹脂等、種々の樹脂材料を採用することができる。但し、後述するように仕切り用封止部１３及び排出規制用封止部１５は容器本体５の内壁面同士を融着することから、容器本体５のフィルムは互いに相溶性が乏しく融点の異なる樹脂を混合した混合樹脂で形成することが好ましい。このようにすると、融着強度の制御が容易になるという利点がある。そのような樹脂の組み合わせとしては、例えばスチレン系樹脂、メタクリル酸エステル系樹脂、環状オレフィン樹脂、ポリ４−メチルペンテン、ポリエステル、ポリアミド、又はポリプロピレンから選ばれる樹脂と、ポリエチレンとの混合樹脂を例示することができる。そのうち、ポリエチレンとポリプロピレンとの混合樹脂、及びポリエチレンと環状オレフィン樹脂との混合樹脂は、医療用として安全性が確認されていること、及び製造上の取り扱いが確立されていることから特に好ましい。
【００１７】
また、容器本体５を形成するフィルムは、上述した樹脂のみからなる単層のフィルムの他、多層構造のフィルムを使用することができる。この場合、容器本体５の最内層を構成する樹脂層が上記のような樹脂から形成されていればよい。
【００１８】
仕切り用封止部１３及び排出規制用封止部１５は、上記のように容器本体５の内壁面同士を熱融着することで構成されており、収納室９，１１の内圧を高めると開封するようになっている。このような融着強度としては、例えば、直径１００ｍｍの円板でいずれかの収納室を押圧し、１０〜３０ｋｇ程度の力をかけたときに封止部１３，１５が開封するようなものが適当である。
【００１９】
仕切り用封止部１３によって仕切られた各収納室９，１１には、予め混合或いは溶解しておくとメイラード反応等の経時変化を起こすため隔離する必要がある各種薬剤ａ，ｂがそれぞれ封入されている。例えば一方の収納室にアミノ酸を含有する溶液、他方の収納室にブドウ糖を含有する溶液を収納することができる。また、必要に応じていずれか一方の収納室に電解質等を封入することもできる。さらに、液剤だけでなく、いずれか一方の収納室に固形または粉末薬剤を収納することもできる。
【００２０】
次に、上記のように構成された医療用複室容器の使用方法について説明する。複室容器１内の薬剤を患者に投与するには、まず、第１収納室９を手で押さえる等して押圧し、収納室内の圧力を高める。この圧力の作用により、仕切り用封止部１３は開封する。このとき、仕切り用封止部１３の端部には、排出規制用封止部１５が接続されているため、仕切り用封止部１３の開封と同時に、排出用封止部１５もその端部から開封していく。こうして、第１収納室９、第２収納室１１、及び空室１９が連通し、両収納室９，１１の薬剤が混合される。続いて、薬剤排出部７のゴム栓に導管（図示省略）が接続された刺栓針（図示省略）を刺入すると、混合された薬液が導管を介して患者に投与される。
【００２１】
なお、排出規制用封止部１５と排出部７との間の室は、上記のように空室１９であるため、仕切り用封止部１３の開封前に、排出部７に導管を刺入したとしても、混合前の薬剤が排出されるのを防止することができる。
【００２２】
以上のように、本実施形態によれば、仕切り用封止部１３の端部に排出規制用封止部１５が接続されている。つまり、両封止部１３，１５の端部が容器本体周縁部３の同一箇所Ｓに接続されているため、仕切り用封止部１３を開封すると、排出規制用封止部１５も同時に開封する。したがって、従来のように、各封止部を個別に開封する必要がなく、開封作業を一回で行うことができる。その結果、複室容器の使用時における作業性を大きく向上することができる。また、本実施形態では、両封止部１３，１５の接続部分が容器本体周縁部３に形成されているため、押圧時に発生する圧力を周縁部３に向けて作用させ易くなっており、押圧力を効率よく作用させることができる。
【００２３】
また、上記複室容器では、仕切り用封止部１３が容器本体５の左右の端部間で直線状に延びているため、この仕切り用封止部１３に沿って、容器本体５を折り畳むことができる。これにより、複室容器を小型化することができ、輸送、保管時に必要なスペースを節約することができる。このように、仕切り用封止部１３に沿って容器本体５を折り畳むと、その近傍の容器本体内壁面同士が離間しにくくなるため、仕切り用封止部１３の開封を防止できる。これにより、輸送中に不意に外力が作用した場合であっても、封止部１３が開封するのを未然に防止することができる。
【００２４】
上記説明では、第１収納室９を押圧することで、両封止部１３，１５を開封させたが、第２収納室１１を押圧することで封止部１３，１５を開封することもできる。図１に示すように、両封止部１３，１５は鋭角αをなして延びているため、その間の第２収納室１１を押圧すると、高まった圧力は両封止部１３，１５の接続部分Ｓに集中して作用する。そのため、この接続部分Ｓの開封が容易になり、両封止部１３，１５の同時開封を促進することができる。
【００２５】
以上、本発明の一実施形態について説明したが、本発明はこれに限定されるものではなく、その趣旨を逸脱しない限りにおいて種々の変更が可能である。例えば、両封止部１３，１５の延びる方向は、上記したものに限定されるものではなく、各封止部の端部が容器本体周縁部３の同一箇所に接続されていればよい。以下、図２にその例を示す。図２（ａ）に示す例では、容器本体５の右上及び右下の角部から仕切り用封止部１３及び排出規制用封止部１３がそれぞれ延び、左側の端部中央Ｓで接続されている。また、図２（ｂ）の例では、容器本体５の下部の排出部７に近い位置で排出規制用封止部１５を左右方向に延びるように形成し、仕切り用封止部１３を、左上の角部と排出規制用封止部１５の右側端部Ｓとの間で延びるように形成している。さらに、図２（ｃ）の例では、仕切り用封止部１３を左上の角部と右下の角部Ｓとの間で延びるように形成し、排出用封止部１５を右下の角部Ｓと排出部７に近い左側端部との間で延びるように形成している。
【００２６】
また、上記実施形態では、容器本体周縁部２の対向する辺を結ぶように仕切り用封止部１３を形成しているが、これに限定されるものではなく、少なくとも一方の封止部が容器本体周縁部３のいずれか２箇所を結ぶように形成されていればよい。例えば、図３の例では、各封止部１３，１５が容器本体周縁部３の隣接する辺を結ぶように形成されている。このように封止部が容器本体周縁部のいずれか２箇所を結ぶようにしておくと、この封止部に沿って容器本体を折り畳むことができる。
【００２７】
また、上記実施形態では、薬剤が収納される収納室の数を２つにした容器本体について説明したが、これに限定されるものではなく、３以上の収納室を設けることもできる。この場合、収納室の数に応じて仕切り用封止部の数も増えるが、すべての仕切り用封止部及び排出規制用封止部の端部が、容器本体周縁部の同一箇所に接続されていれば、本発明の効果を得ることができる。その例を図４に示す。同図に示すように、この例は、図１の容器本体５に新たな仕切り用封止部を形成したものである。すなわち、容器本体５の上半部を第２の仕切り用封止部１４によってさらに２つの収納室９，１８に仕切っている。この第２の仕切り用封止部１４は、右上の角部から左側端部の中央まで延びている。これにより、２つの仕切り用封止部１３，１４及び排出規制用封止部１５の端部は、容器本体周縁部３の同一箇所Ｓに接続される。
【図面の簡単な説明】
【００２８】
【図１】本発明に係る医療用複室容器の一実施形態を示す平面図である。
【図２】本発明に係る医療用複室容器の他の例を示す平面図である。
【図３】本発明に係る医療用複室容器の他の例を示す平面図である。
【図４】本発明に係る医療用複室容器の他の例を示す平面図である。
【符号の説明】
【００２９】
１  医療用複室容器
５  容器本体
９，１１  収納室
１３  仕切り用封止部
１５  排出規制用封止部
【図１】
2005143594.tif 000003
【図２】
2005143594.tif 000004
【図３】
2005143594.tif 000005
【図４】
2005143594.tif 000006